【手続補正書】
【提出日】平成22年4月22日(2010.4.22)
【手続補正１】
【補正対象書類名】特許請求の範囲
【補正対象項目名】全文
【補正方法】変更
【補正の内容】
【特許請求の範囲】
【請求項１】
ワイヤレスネットワークにおいて緊急呼を識別する機械装置であって、
前記緊急呼として呼を識別する表示であって、前記表示により前記緊急呼をネットワークが緊急呼でない呼より前に処理する、識別する表示
を備えたことを特徴とする機械装置。
【請求項２】
前記表示は、ビットフラグであることを特徴とする請求項１に記載の機械装置。
【請求項３】
前記表示は、情報要素であることを特徴とする請求項１に記載の機械装置。
【請求項４】
前記表示を前記ワイヤレスネットワークのアクセスポイント（ＡＰ）が受信する、前記緊急呼を前記ワイヤレスネットワークの端末が開始する、前記表示を前記ＡＰが使用することにより前記緊急呼を加えている端末に前記ＡＰが他の呼を許可するのに必要とされる認証手順の実行を必要とせずに前記緊急呼を許可することを特徴とする請求項１に記載の機械装置。
【請求項５】
デュアルモードの端末が緊急呼を加える方法であって、
前記緊急呼を開始するステップと、
前記端末がセルラーネットワークにおいて動作する性能があるかを決定するステップと、
前記端末が前記セルラーネットワークにおいて動作する性能がある場合、前記セルラーネットワークにおいて前記緊急呼を続行するステップと、
前記緊急呼が前記セルラーネットワークにおいて完了したかを決定するステップと、
前記緊急呼が前記セルラーネットワークにおいて完了しなかった場合、ＩＥＥＥ  ８０２．ｘｘのネットワークにおいて前記緊急呼を続行するステップと
を備えたことを特徴とする方法。
【請求項６】
ワイヤレスネットワークにおいて端末から緊急呼を加えるユーザーの位置を突き止める方法であって、
前記緊急呼を開始するステップと、
あらかじめ定められた一定期間前記ユーザーの位置を突き止める緊急信号フレームを送信するステップと
を備えたことを特徴とする方法。
【請求項７】
ワイヤレスネットワークにおいて端末から緊急呼を加えるユーザーの位置を突き止める方法であって、
前記緊急呼を開始するステップと、
緊急信号フレームを送信するステップと、
エマージェンシワーカがあらかじめ定められた前記ユーザーの範囲内にあると、前記ユーザーと前記エマージェンシワーカとの間に直接接続を確立するステップと
を備えたことを特徴とする方法。
【請求項８】
ワイヤレスネットワークにおいて緊急呼をサポートする方法であって、
前記ワイヤレスネットワークのアクセスポイント（ＡＰ）が前記緊急呼を受信するステップであって、前記緊急呼は前記ワイヤレスネットワークの端末により開始される、受信するステップと、
前記端末が前記緊急呼を完了するのに十分な性能があるかを前記ＡＰにおいて決定するステップと、
前記端末が前記緊急呼を完了するのに十分な性能がない場合、前記ＡＰが前記端末に対するプロキシとして動作するステップと
を備えたことを特徴とする方法。
【請求項９】
前記ＡＰが前記緊急呼に位置情報を追加するステップ
をさらに備えたことを特徴とする請求項８に記載の方法。
【請求項１０】
前記ＡＰが前記ワイヤレスネットワークのトラヒックを監視するステップであって、前記トラヒックを監視することにより前記ＡＰが端末に対するプロキシとして動作できるように前記ワイヤレスネットワークの端末についての性能の情報を学習する、監視するステップ
をさらに備えたことを特徴とする請求項８に記載の方法。
【請求項１１】
ワイヤレスネットワークに緊急呼を加える方法であって、
アクセスポイントにおいて前記緊急呼を生起する端末からＲＴＳ（ready to send）フレームを受信するステップであって、前記ＲＴＳフレームは前記端末が緊急呼を生起しているという表示を含む、受信するステップと、
前記ＡＰが緊急でない端末をバックオフさせるステップであって、バックオフさせることにより前記緊急呼を生起している端末が前記緊急でない端末に先立って前記ワイヤレスネットワークにアクセスできる、バックオフさせるステップと
を備えたことを特徴とする方法。
【請求項１２】
前記バックオフさせるステップは、前記緊急呼を生起している端末を、前記ワイヤレスネットワークへのアクセスを試みる前に緊急でない端末よりもより短い一定期間待機させるステップを含むことを特徴とする請求項１１に記載の方法。
【請求項１３】
前記バックオフさせるステップは、前記緊急でない端末を、前記ワイヤレスネットワークへのアクセスを試みる前に緊急呼を生起している端末よりもより長い一定期間待機させるステップを含むことを特徴とする請求項１１に記載の方法。
【請求項１４】
ワイヤレスネットワークにおいて緊急呼をサポートする方法であって、
前記ワイヤレスネットワークのアクセスポイント（ＡＰ）が前記緊急呼を受信するステップであって、前記緊急呼は前記ワイヤレスネットワークの端末により開始される、受信するステップと、
前記緊急呼を生起している端末に前記ＡＰが他の呼を許可するのに必要とされる認証手順の実行を必要とせずに前記ＡＰが前記緊急呼を許可するステップと
を備えたことを特徴とする方法。
【請求項１５】
前記許可するステップは、前記ワイヤレスネットワークのセキュリティ要件を無視して前記緊急呼を許可するステップを含むことを特徴とする請求項１４に記載の方法。
【請求項１６】
ワイヤレスネットワークの端末が緊急呼を加える方法であって、
前記緊急呼を送信するために前記端末が使用するのに適した無線技術を示すステップと、
前記緊急呼を開始するステップと、
可能である場合、前記適した無線技術によって前記緊急呼を続行するステップと、
前記適した無線技術を使用して前記緊急呼が完了したかを決定するステップと、
前記適した無線技術を使用して前記緊急呼が完了しなかった場合、代替の無線技術によって前記緊急呼を続行するステップと
を備えたことを特徴とする方法。
【請求項１７】
前記適した無線技術は、ＷＬＡＮおよびワイヤレスＭＡＮから構成されるグループの中から選ばれ、前記代替の無線技術は、セルラー無線技術であることを特徴とする請求項１６に記載の方法。
【請求項１８】
前記適した無線技術は、セルラー無線技術であり、前記代替の無線技術は、ＷＬＡＮおよびワイヤレスＭＡＮから構成されるグループの中から選ばれることを特徴とする請求項１６に記載の方法。
【請求項１９】
前記適した無線技術についての表示を前記端末に格納することを特徴とする請求項１６に記載の方法。
【請求項２０】
前記適した無線技術についての表示を前記端末のサブスクライバー・アイデンティティ・モジュールに格納することを特徴とする請求項１６に記載の方法。
【請求項２１】
前記適した無線技術についての表示を前記端末が前記ワイヤレスネットワークから受信することを特徴とする請求項１６に記載の方法。
【請求項２２】
アンテナと、
送受信機と、
緊急呼として呼を識別する表示を加えるよう構成されたプロセッサと
を備えたＷＴＲＵ（wireless transmit/receive unit）。
【請求項２３】
前記表示を使用して前記緊急呼を緊急呼でない呼より前に処理することを特徴とする請求項２２に記載のＷＴＲＵ。
【請求項２４】
前記表示は、ビットフラグであることを特徴とする請求項２２に記載のＷＴＲＵ。
【請求項２５】
前記ビットフラグは、ＭＡＣフレームに置かれることを特徴とする請求項２４に記載のＷＴＲＵ。
【請求項２６】
前記ビットフラグは、ＲＴＳフレームに置かれることを特徴とする請求項２４に記載のＷＴＲＵ。
【請求項２７】
前記表示は、情報要素であることを特徴とする請求項２２に記載のＷＴＲＵ。
【請求項２８】
前記情報要素は、緊急呼フラグを含むことを特徴とする請求項２７に記載のＷＴＲＵ。
【請求項２９】
前記情報要素は、理由コードを含むことを特徴とする請求項２７に記載のＷＴＲＵ。
【請求項３０】
前記情報要素は、前記ＷＴＲＵの性能を識別する性能情報フィールドを含むことを特徴とする請求項２７に記載のＷＴＲＵ。
【請求項３１】
前記情報要素は、前記ＷＴＲＵの位置を突き止める情報を含んでいる位置情報フィールドを含むことを特徴とする請求項２７に記載のＷＴＲＵ。
【請求項３２】
前記情報要素は、前記ＷＴＲＵが使用するコーデックを識別する音声コーデックフィールドを含むことを特徴とする請求項２７に記載のＷＴＲＵ。
【請求項３３】
デュアルモードのＷＴＲＵであって、
アンテナと、
送受信機と、
緊急呼を開始する、
前記ＷＴＲＵがセルラーネットワークにおいて動作する性能があるかを決定する、
前記ＷＴＲＵが前記セルラーネットワークにおいて動作する性能がある場合、前記セルラーネットワークにおいて前記緊急呼を続行する、
前記緊急呼が前記セルラーネットワークにおいて完了したかを決定する、
前記緊急呼が前記セルラーネットワークにおいて完了しなかった場合、ＩＥＥＥ  ８０２．ｘｘのネットワークにおいて前記緊急呼を続行する
よう構成されたプロセッサと
を備えたことを特徴とするＷＴＲＵ。
【請求項３４】
緊急呼を加えるユーザーの位置を突き止めるよう構成されたＷＴＲＵであって、
アンテナと、
送受信機と、
緊急呼を開始する、
あらかじめ定められた一定期間前記ユーザーの位置を突き止める緊急信号フレームを送信する
よう構成されたプロセッサと
を備えたことを特徴とするＷＴＲＵ。
【請求項３５】
緊急呼を加えるよう構成されたＷＴＲＵであって、
アンテナと、
送受信機と、
前記緊急呼を送信するために前記ＷＴＲＵが使用するのに適した無線技術を示す、
前記緊急呼を開始する、
可能である場合、前記適した無線技術によって前記緊急呼を続行する、
前記適した無線技術を使用して前記緊急呼が完了したかを決定する、
前記適した無線技術を使用して前記緊急呼が完了しなかった場合、代替の無線技術によって前記緊急呼を続行する
よう構成されたプロセッサと
を備えたＷＴＲＵ。
【請求項３６】
前記適した無線技術は、ＷＬＡＮおよびワイヤレスＭＡＮから構成されるグループの中から選ばれ、前記代替の無線技術は、セルラー無線技術であることを特徴とする請求項３５に記載のＷＴＲＵ。
【請求項３７】
前記適した無線技術は、セルラー無線技術であり、前記代替の無線技術は、ＷＬＡＮおよびワイヤレスＭＡＮから構成されるグループの中から選ばれることを特徴とする請求項３５に記載のＷＴＲＵ。
【請求項３８】
ワイヤレスネットワークに緊急呼を加える方法であって、
端末からＲＴＳフレームを送信するステップであって、前記ＲＴＳフレームは前記端末が緊急呼を加えていることを示す表示を含む、送信するステップ
を備えたことを特徴とする方法。